(57)【特許請求の範囲】
【請求項１】
調理器の基板配置部に配置された第１液晶パネルと、
前記第１液晶パネルと重ねて前記基板配置部に配置された第２液晶パネルと、
前記第１液晶パネル及び前記第２液晶パネルのうち、前記基板配置部の背面側に位置する方の背面側に重ねて配置された第３液晶パネルと、
前記第１液晶パネル、前記第２液晶パネル、及び前記第３液晶パネルを制御する制御部と
を備え、
前記第１液晶パネルは、前記制御部によって選択的に表示される複数の第１表示部を有し、
前記第２液晶パネルは、前記制御部によって選択的に表示され、前記第１表示部とは異なる内容の複数の第２表示部を有し、
前記基板配置部を正面側から見て、前記複数の第１表示部のうちの少なくとも一部と、前記複数の第２表示部のうちの少なくとも一部とが、それぞれ重ねて配置されており、
前記第３液晶パネルは、重ねて配置された前記一部の第１表示部及び前記一部の第２表示部の背面をそれぞれ覆い、前記一部の第１表示部及び前記一部の第２表示部の色とは異なる定められた色で発光する複数の強調表示部を有し、
前記制御部は、重ねて配置された前記一部の第１表示部及び前記一部の第２表示部のうちの一方と、対応する前記強調表示部とを表示するように構成されている、調理器の表示装置。
【請求項２】
前記第１表示部の項目と前記第２表示部の項目とは、予測された使用頻度の高低に基づいて定められている、請求項１に記載の調理器の表示装置。
【請求項３】
前記一部の第１表示部として、調理物の保温温度を設定するための保温設定表示部が設けられるとともに、前記一部の第２表示部として、調理開始時間を設定するための予約設定表示部が設けられている、請求項１又は請求項２に記載の調理器の表示装置。
【請求項４】
前記第１表示部又は前記第２表示部として、前記保温設定表示部と前記予約設定表示部とに関連する時刻又は時間を表示する数値表示部が設けられ、
前記基板配置部を正面側から見て、前記保温設定表示部と前記予約設定表示部とは設定された第１領域に配置され、前記数値表示部は前記第１領域に隣り合うように設定された第２領域に配置されている、請求項３に記載の調理器の表示装置。
【請求項５】
前記複数の第１表示部のうちの特定の第１表示部と、前記複数の第２表示部のうちの特定の第２表示部と、に関連する共通表示部が設けられ、
前記基板配置部を正面側から見て、前記特定の第１表示部と前記特定の第２表示部とは設定された第１領域に配置され、前記共通表示部は前記第１領域に隣り合うように設定された第２領域に配置されている、請求項１又は請求項２に記載の調理器の表示装置。
【請求項６】
前記複数の第１表示部及び前記複数の第２表示部は、それぞれマトリクス状に配置されている、請求項１から請求項５のいずれか１項に記載の調理器の表示装置。
【請求項７】
前記調理器は炊飯器であり、
前記一部の第１表示部又は前記一部の第２表示部として、飯米の種類を設定するための米種類表示部が設けられ、かつ、前記一部の第１表示部として、少なくとも炊き上げる米飯の硬さを設定するための第１炊飯メニュー表示部が設けられるとともに、前記一部の第２表示部として、炊き上げ硬さを除く炊飯コースを設定するための第２炊飯メニュー表示部が設けられ、
前記基板配置部を正面側から見て、前記米種類表示部は設定された第３領域に配置され、前記第１炊飯メニュー表示部と前記第２炊飯メニュー表示部とは前記第３領域に隣り合うように設定された第４領域に配置されている、請求項１から請求項６のいずれか１項に記載の調理器の表示装置。
【請求項８】
前記第１液晶パネルに、前記第１表示部を表示している状態を表す第１タブ表示部が設けられるとともに、前記第２液晶パネルに、前記第２表示部を表示している状態を表す第２タブ表示部が設けられ、前記第１タブ表示部と前記第２タブ表示部とが隣り合うように配置されている、請求項１から請求項７のいずれか１項に記載の調理器の表示装置。
【発明の詳細な説明】
【技術分野】
【０００１】
本発明は、調理器の表示装置に関する。
【背景技術】
【０００２】
特許文献１には、消費電力が異なる２枚の液晶パネルを配置した調理器が開示されている。消費電力が大きい第１の液晶パネルには、表示時間が短く、選択（設定）時に必要な項目である調理メニュー等の表示部が設けられている。消費電力が小さい第２の液晶パネルには、表示時間が長く、現在時刻や保温時間の表示に必要な項目である数値表示部が設けられている。
【先行技術文献】
【特許文献】
【０００３】
【特許文献１】特開２０１１−１３９７９３号公報
【発明の概要】
【発明が解決しようとする課題】
【０００４】
特許文献１の表示装置は、第１液晶パネルに重ねて第２の液晶パネルが配置されている。第１液晶パネルの第２液晶パネルを配置する部分には、調理メニュー等の表示部は配置されていない。近年の調理器は、調理メニューの多様化により表示する必要がある表示部が多くなっているため、使用者にとって見難いレイアウトになっている。
【０００５】
本発明は、使用者が認識し易い調理器の表示装置を提供することを課題とする。
【課題を解決するための手段】
【０００６】
本発明は、調理器の基板配置部に配置された第１液晶パネルと、前記第１液晶パネルと重ねて前記基板配置部に配置された第２液晶パネルとを備え、前記第１液晶パネルは複数の第１表示部を有し、所定の前記第１表示部を選択的に表示可能であり、前記第２液晶パネルは前記第１表示部と異なる内容の複数の第２表示部を有し、所定の前記第２表示部を選択的に表示可能であり、前記基板配置部を正面側から見て、複数の前記第１表示部のうち少なくとも一部と、複数の前記第２表示部のうち少なくとも一部とが、重ねて配置されている、調理器の表示装置を提供する。
【０００７】
この態様によれば、第１液晶パネルと第２液晶パネルに階層分けして表示部を設けているため、限られた表示スペースであっても、各表示部の表示面積を大きくし、認識し易いレイアウトで配置することができる。よって、使用者が認識し易くなるため、使用性を向上させることができる。
【０００８】
前記第１表示部と前記第２表示部とは、使用頻度の高低によって分類されている。この種の調理器は、使用者が頻繁に使用する内容（メニュー）と滅多に使用しない内容とがある。そのため、使用頻度に基づいて第１液晶パネルに用いる第１表示部と第２液晶パネルに用いる第２表示部とを選択すれば、頻繁に使用する内容を含む表示部だけが常に表示される。よって、使用者の使用性を確実に向上できる。
【０００９】
前記第１表示部として、調理物の保温設定を表示する保温設定表示部が設けられるとともに、前記第２表示部として、調理開始時間の予約設定を表示する予約設定表示部が設けられている。ここで、保温機能と予約機能とは、同時に実行することが有り得ない機能であるため、対応する保温設定表示部と予約設定表示部は同時に表示する必要がない表示である。これらの表示部を第１液晶パネルと第２液晶パネルに分けることで、認識し易いレイアウトを実現できる。
【００１０】
前記第１表示部又は前記第２表示部として、前記保温設定表示部と前記予約設定表示部とに関連する時刻又は時間を表示する数値表示部が設けられ、前記基板配置部を正面側から見て、前記保温設定表示部と前記予約設定表示部とは設定された第１領域に配置され、前記数値表示部は前記第１領域に隣り合うように設定された第２領域に配置されている。ここで、保温機能と予約機能とは、同時に表示することはないが、保温時間と予約時間（時刻）は数値で表示することが望ましい機能である。そのため、第１領域に保温設定表示部と予約設定表示部とを配置し、隣接した第２領域に時刻又は時間を示す数値（関連する項目）を表示する数値表示部（共通表示部）を配置することで、使用性が良好で認識し易いレイアウトを実現できる。
【００１１】
なお、第１領域に配置する特定の第１表示部及び特定の第２表示部は保温機能と予約機能に限られない。即ち、複数の前記第１表示部のうち特定の第１表示部と、複数の前記第２表示部のうち特定の第２表示部と、に関連する共通表示部が設けられ、前記基板配置部を正面側から見て、前記特定の第１表示部と前記特定の第２表示部とは設定された第１領域に配置され、前記共通表示部は前記第１領域に隣り合うように設定された第２領域に配置されている。この態様によれば、使用性が良好で認識し易いレイアウトを実現できる。
【００１２】
重ねて配置した前記第１液晶パネル及び前記第２液晶パネルの背面側に重ねて配置された第３液晶パネルを備え、前記第３液晶パネルには、前記第１表示部及び前記第２表示部のうち、所定の表示部の表示部分を前記所定の表示部と異なる色で発光させる複数の強調表示部が設けられている。ここで、従来では所定の表示部を選択している状態は、表示部を点滅させることで使用者が認識できるようにしていた。しかし、表示部の点滅は、表示内容を瞬時に把握するには煩わしい表現方法である。この態様では、所定の表示部の表示部分を所定の表示部と異なる色で発光させるため、視認性を向上できる。即ち、使用者は、選択中の場所は勿論、選択中の表示内容を瞬時に把握できる。よって、使用者の使用性を更に向上できる。
【００１３】
複数の前記第１表示部及び複数の前記第２表示部は、それぞれマトリクス状に配置されている。詳しくは、前記調理器は炊飯器であり、前記第１表示部又は前記第２表示部として、飯米の種類を表示する米種類表示部が設けられ、かつ、前記第１表示部として、少なくとも炊き上げる米飯の硬さが異なる第１炊飯メニュー表示部が設けられるとともに、前記第２表示部として、炊き上げ硬さを除く第２炊飯メニュー表示部が設けられ、前記基板配置部を正面側から見て、前記米種類表示部は設定された第３領域に配置され、前記第１炊飯メニュー表示部と前記第２炊飯メニュー表示部とは前記第３領域に隣り合うように設定された第４領域に配置されている。この態様によれば、使用者が認識し易いレイアウトを実現できる。
【００１４】
前記第１液晶パネルに、前記第１表示部を表示している状態を表す第１タブ表示部が設けられるとともに、前記第２液晶パネルに、前記第２表示部を表示している状態を表す第２タブ表示部が設けられ、前記第１タブ表示部と前記第２タブ表示部とが隣り合うように配置されている。この態様によれば、使用性が良好で認識し易いレイアウトを実現できる。
【発明の効果】
【００１５】
本発明の調理器の表示装置では、第１液晶パネルと第２液晶パネルが重ねて配置され、これらに複数の表示部を分けて設けているため、限られた表示スペースであっても、各表示部の表示面積を大きくし、認識し易いレイアウトで配置できる。よって、使用者による表示装置の視認性を向上できるとともに、調理器の使用性を向上できる。
【図面の簡単な説明】
【００１６】
【図１】本発明の表示装置を用いた炊飯器を示す部分断面図。
【図２】表示装置を配置する基板配置部を示す分解斜視図。
【図３】表示装置を含む操作パネルを示す正面図。
【図４】炊飯器のブロック図。
【図５Ａ】メイン液晶パネルを示す正面図。
【図５Ｂ】サブ液晶パネルを示す正面図。
【図５Ｃ】背面液晶パネルを示す正面図。
【図６】待機モードの液晶パネルの表示の一例を示す正面図。
【図７Ａ】通常の炊飯メニュー選択時の表示の一例を示す正面図。
【図７Ｂ】通常の炊飯メニュー選択時の表示の他の一例を示す正面図。
【図７Ｃ】通常の炊飯メニュー選択時の表示の更に他の一例を示す正面図。
【図８】予約炊飯選択時の表示の一例を示す正面図。
【図９】炊飯時の表示の一例を示す正面図。
【図１０Ａ】保温時の表示の一例を示す正面図。
【図１０Ｂ】保温時に保温設定を変更する時の表示の一例を示す正面図。
【図１１Ａ】わが家炊きの感想入力時の表示の一例を示す正面図。
【図１１Ｂ】わが家炊きの感想を入力した確定状態の表示の一例を示す正面図。
【発明を実施するための形態】
【００１７】
以下、本発明の実施の形態を図面に従って説明する。
【００１８】
図１は、本発明の表示装置５０を用いた調理器である炊飯器１０を示す。この炊飯器１０は、蓋体２０の操作パネル部３１の内部側に操作基板４０を配置する基板配置部２８を備え、この基板配置部２８に本発明の表示装置５０が配置されている。図２、図３及び図５Ａから図５Ｃを併せて参照すると、表示装置５０は、炊飯器１０に必要な項目の表示部６２ａ〜６７ｄ，７１ａ〜７６ｋが設けられたメイン液晶パネル（第１液晶パネル）６０とサブ液晶パネル（第２液晶パネル）７０とを備える。また、表示装置５０は、所定の表示部６２ａ〜６７ｄ，７１ａ〜７６ｋを強調する強調表示部８１ａ〜８５ｈが設けられた背面液晶パネル８０を備える。これにより、使用者による表示装置５０の視認性を向上し、炊飯器１０の使用性を向上できるようにしている。
【００１９】
（炊飯器の詳細）
図１に示すように、炊飯器１０は、炊飯器本体１１の背部に開閉可能にヒンジ接続した蓋体２０を備える。炊飯器本体１１には、調理物である飯米を収容する内鍋１５が着脱可能に配置されている。内鍋１５は、炊飯器本体１１に配置した誘導加熱コイル（第１加熱手段）１２によって誘導加熱される。
【００２０】
蓋体２０は、内鍋１５の上部を覆う放熱板２１を備える。この放熱板２１の上面には、内鍋１５の上部を加熱する蓋ヒータ（第２加熱手段）２２が配置されている。また、蓋体２０は、内鍋１５の上端開口を閉塞する着脱可能な内蓋２３を備える。内鍋１５内で発生した蒸気は、内蓋２３の通気孔（図示せず）から排気通路を通って、蒸気口セット２４の排出口２５から炊飯器１０の外部へ排出される。
【００２１】
蓋体２０は、内蓋２３の通気孔を閉塞して内鍋１５内を大気圧より高い圧力に昇圧可能とする閉塞機構（図示せず）を備える。閉塞機構としては、例えば球状部材からなる弁体を用いたボール弁が用いられる。図４を参照すると、炊飯器１０は、弁体を動作させて通気孔を開閉する駆動手段としてソレノイド２６を備える。このソレノイド２６は、閉塞機構の横に位置するように蓋体２０に配置されている。
【００２２】
また、炊飯器１０は、内鍋１５の温度を検出する鍋温度検出手段である鍋温度センサ３５と、内蓋２３を介して内鍋１５の上部空間の温度を検出する蓋温度検出手段である蓋温度センサ３６とを備える。鍋温度センサ３５は炊飯器本体１１に配置され、蓋温度センサ３６は蓋体２０の放熱板２１上に配置されている。
【００２３】
制御部であるマイコン３８は、温度センサ３５，３６の検出温度に基づいて誘導加熱コイル１２及び蓋ヒータ２２を制御し、炊飯処理を実行した後、引き続いて保温処理を実行する。炊飯処理は、内鍋１５内を設定温度に維持する予熱工程、内鍋１５内を沸騰させる昇温工程、内鍋１５内の沸騰状態を維持する沸騰維持工程、内鍋１５内の米飯を蒸らすむらし工程を備え、内鍋１５内に収容した飯米を加熱して、米飯を炊き上げる。保温処理は、内鍋１５内を使用者が選択した設定温度に保温する。
【００２４】
図１及び図２に示すように、蓋体２０の外装体である蓋本体２７には、平面視矩形状をなすように下向きに窪む基板配置部２８が設けられている。この基板配置部２８には、複数のスイッチ４１ａ〜４１ｈ及び表示装置５０を実装した操作基板４０が配置されている。基板配置部２８の上端開口は、カバー部材３０によって覆われている。カバー部材３０の基板配置部２８と対応する部分には操作パネル部３１が設けられている。操作パネル部３１には、スイッチ４１ａ〜４１ｈに対応する部分に操作部３２ａ〜３２ｈが設けられている。また、操作パネル部３１には、表示装置５０に対応する部分に開口部が設けられ、この開口部を透明樹脂板で覆うことで窓部３３が設けられている。なお、基板配置部２８は、炊飯器本体１１の外装体に設けてもよい。
【００２５】
（操作パネル部の詳細）
図３に示すように、操作パネル部３１（基板配置部２８）を正面から見ると、中央に表示装置５０が配置され、この表示装置５０の左右にスイッチ４１ａ〜４１ｈの操作部３２ａ〜３２ｈが並べて配置されている。後で詳細に説明するが、図３では表示装置５０は、３枚の液晶パネル６０，７０，８０の全ての表示部６２ａ〜６７ｄ，７１ａ〜７６ｋ，８１ａ〜８５ｈを表示（点灯）させた状態を表している。
【００２６】
表示装置５０の右側下部に位置する炊飯操作部３２ａは、操作基板４０の炊飯スイッチ４１ａに対応する。保温処理を実行していない待機中に炊飯スイッチ４１ａが操作されると、マイコン３８は予約炊飯を含む炊飯処理を開始させる。また、保温処理の実行中に炊飯スイッチ４１ａが操作されると、マイコン３８は内鍋１５内の米飯を温める再加熱処理を開始させる。
【００２７】
表示装置５０の左側中部に位置する保温操作部３２ｂは、操作基板４０の保温スイッチ４１ｂに対応する。待機中に保温スイッチ４１ｂが操作されると、マイコン３８は保温処理を開始させる。また、保温処理の実行中に保温スイッチ４１ｂが操作されると、マイコン３８は保温設定（本実施形態では３種）を変更する。
【００２８】
炊飯操作部３２ａの上部（右側中部）に位置する予約操作部３２ｃは、操作基板４０の予約スイッチ４１ｃに対応する。待機中に予約スイッチ４１ｃが操作されると、マイコン３８は予約設定（本実施形態では３種）を変更する。
【００２９】
表示装置５０の右側上部に位置するお米選択操作部３２ｄは、操作基板４０のお米選択スイッチ４１ｄに対応する。待機中にお米選択スイッチ４１ｄが操作されると、炊き上げる飯米の種類（本実施形態では４種）を変更する。
【００３０】
お米選択操作部３２ｄの下部（右側中部）に位置する黒塗り三角印の左矢印操作部３２ｅは、操作基板４０の左矢印スイッチ４１ｅに対応する。また、右矢印操作部３２ｆは、操作基板４０の右矢印スイッチ４１ｆに対応する。待機中に矢印スイッチ４１ｅ，４１ｆが操作されると、マイコン３８は選択された飯米の種類毎に各複数種ある炊飯メニューを変更する。また、待機中に矢印スイッチ４１ｅ，４１ｆが長押し（例えば３秒）されると、マイコン３８は現在時刻を変更する。また、予約設定中に矢印スイッチ４１ｅ，４１ｆが操作されると、マイコン３８は予約時刻を変更する。
【００３１】
表示装置５０の左側上部に位置するわが家炊き選択操作部３２ｇは、操作基板４０のわが家炊き選択スイッチ４１ｇに対応する。待機中又は保温処理の実行中にわが家炊き選択スイッチ４１ｇが操作されると、マイコン３８は炊飯メニューの１つである「わが家炊き」による炊きあがり状態の感想入力画面を表示する。
【００３２】
表示装置５０の左側下部に位置するとりけし操作部３２ｈは、操作基板４０のとりけしスイッチ４１ｈに対応する。炊飯処理の実行中にとりけしスイッチ４１ｈが操作されると、マイコン３８は炊飯処理を停止して待機モードに移行する。また、保温処理の実行中にとりけしスイッチ４１ｈが操作されると、マイコン３８は保温処理を停止して待機モードに移行する。また、炊飯メニューの設定中や現在時刻の設定中等にとりけしスイッチ４１ｈが操作されると、マイコン３８はそれまでの入力をクリアして待機モードに移行する。
【００３３】
（表示装置の詳細）
図１から図３に示すように、表示装置５０は、３枚の液晶パネル６０，７０，８０を重ねた状態で操作基板４０に実装されている。液晶パネル６０，７０，８０の外周部は枠部材４２によって位置決めされている。第１液晶パネルであるメイン液晶パネル６０は、基板配置部２８に対して最も外側（正面側）に配置されている。第２液晶パネルであるサブ液晶パネル７０は、メイン液晶パネル６０の背面側に重ねて基板配置部２８に配置されている。第３液晶パネルである背面液晶パネル８０は、基板配置部２８の最も背面側に位置するように、サブ液晶パネル７０の背面側に重ねて配置されている。
【００３４】
メイン液晶パネル６０とサブ液晶パネル７０とは、背面側の光を正面側へ透過可能なセグメント表示方式の液晶ディスプレイ（ＬＣＤ）である。背面液晶パネル８０は、メイン液晶パネル６０及びサブ液晶パネル７０の表示部６２ａ〜６７ｄ，７１ａ〜７６ｋとは異なる色で発光するセグメント表示方式の液晶ディスプレイである。図３に図５Ａ及び図５Ｂを併せて参照すると、メイン液晶パネル６０及びサブ液晶パネル７０には、炊飯器１０として表示する必要がある炊飯メニュー等の複数の項目の表示部６２ａ〜６７ｄ，７１ａ〜７６ｋが分けて設けられている。また、図５Ｃを参照すると、背面液晶パネル８０には、選択中の項目を強調するための強調表示部８１ａ〜８５ｈが設けられている。
【００３５】
各表示部６２ａ〜６７ｄ，７１ａ〜７６ｋ，８１ａ〜８５ｈは、マイコン３８によって電圧が印加されることで、選択的に表示（点灯）される。マイコン３８によって電圧が印加されていない非表示（消灯）状態では、各表示部６２ａ〜６７ｄ，７１ａ〜７６ｋ，８１ａ〜８５ｈは透明である。マイコン３８は、前述した炊飯処理及び保温処理の制御部の機能に加え、３枚の液晶パネル６０，７０，８０からなる表示装置５０の制御部の機能を兼ね備える。背面側に位置するサブ液晶パネル７０の表示部７１ａ〜７６ｋは、メイン液晶パネル６０を透過して表示可能であり、背面液晶パネル８０の表示部８１ａ〜８５ｈは、サブ液晶パネル７０及びメイン液晶パネル６０を透過して表示可能である。
【００３６】
（表示部配置の詳細）
本実施形態の炊飯器１０で表示が必要な項目を分類すると、炊飯コース、お米（飯米）の種類、保温コース、予約設定、時刻と時間、及び特殊メニューの情報更新（学習機能）がある。
【００３７】
表示装置５０の左側上部には、お米の種類を表示するための米種類表示領域（第３領域）５１が設けられている。また、米種類表示領域５１の右側に隣り合うように、表示装置５０の右側上部には、炊飯コースを表示するためのメニュー表示領域（第４領域）５２が設けられている。飯米の種類と炊飯メニューとは関連があり、飯米の種類によって、炊飯可能なメニューと炊飯不可能なメニューがあるため、これらの分類を隣接配置することで、視認性を向上できる。
【００３８】
表示装置５０の左側下部には、保温コースを表示するとともに、予約設定を表示するための異項目表示領域（第１領域）５３が設けられている。また、異項目表示領域５３の右側に隣り合うように、表示装置５０の右側下部には、保温コースと予約設定の両方の項目に関連する項目を表示するための共通項目表示領域（第２領域）５４が設けられている。ここで、保温機能と予約機能とは、表示装置５０において同時に表示することはないが、保温時間と予約時間（時刻）を表示することが望ましい機能である。そのため、異項目表示領域５３に保温コースと予約設定とを表示させ、共通項目表示領域５４に時刻や時間等の数値を表示させることで、使用性が良好で認識し易いレイアウトを実現できる。
【００３９】
なお、特殊メニューの情報を更新するための項目は、米種類表示領域５１の一部と共通項目表示領域５４を利用して表示されている。この特殊メニューの情報更新機能と、お米の種類の選択機能及び数値の表示機能とは、同時に表示する必要がない項目であるため、両領域５１，５４を利用して表示させることで、表示面積を大きくして認識し易いレイアウトを実現できる。
【００４０】
図３及び図５Ａに示すように、メイン液晶パネル６０には、前述した表示が必要な複数の項目のうち、使用頻度が高い第１の項目（分類）の第１表示部６２ａ〜６７ｄが設けられている。この第１表示部６２ａ〜６７ｄには、お米の種類と、炊飯コースのうちの使用頻度が高いメニューと、保温コースと、共通表示とが含まれる。図３及び図５Ｂに示すように、サブ液晶パネル７０には、前述した表示が必要な複数の項目のうち、使用頻度が低い第２の項目の第２表示部７１ａ〜７６ｋが設けられている。勿論、第２表示部７１ａ〜７６ｋの項目には、メイン液晶パネル６０に設けた第１表示部６２ａ〜６７ｄの項目は含まれていない。この第２表示部７１ａ〜７６ｋには、炊飯コースのうちの使用頻度が低いメニューと、予約設定と、特殊メニューの情報更新表示とが含まれる。図３及び図５Ｃに示すように、背面液晶パネル８０には、全ての表示部６２ａ〜６７ｄ，７１ａ〜７６ｋのうち、選択中の所定の表示部６２ａ〜６７ｄ，７１ａ〜７６ｋを強調させる強調表示部８１ａ〜８５ｈが設けられている。
【００４１】
（メイン液晶パネルの詳細）
図３及び図５Ａに示すように、メイン液晶パネル６０には、米種類表示領域５１と対応する部分の上部に「お米の種類」という文字が記載された分類表示部６１が設けられている。また、メイン液晶パネル６０には、米種類表示領域５１を取り囲むように四角形状の枠６２が設けられている。枠６２の内部には、飯米の種類である「白米」という第１米種類表示部６２ａと、「無洗米」という第２米種類表示部６２ｂと、「玄米」という第３米種類表示部６２ｃと、「分づき米」という第４米種類表示部６２ｄとが設けられている。
【００４２】
また、メイン液晶パネル６０には、メニュー表示領域５２と対応する部分の上部に「炊飯コース」という文字が記載された分類表示部６３が設けられている。また、分類表示部６３の横（右側）には、「いつものメニュー」という文字が記載された第１タブ表示部６３ａと、「こだわりメニュー」という文字が記載された第２タブ表示部６３ｂとが隣り合うように設けられている。また、メイン液晶パネル６０には、メニュー表示領域５２を取り囲むように枠６４が設けられている。この枠６４には、第１タブ表示部６３ａとの間に境界枠線が設けられることなく、第２タブ表示部６３ｂとの間に境界枠線が設けられている。これにより、いつものメニュー（第１項目）が表示され、こだわりメニュー（第２項目）が表示されていない状態であることを表している。
【００４３】
枠６４の内部には、複数種の第１炊飯メニュー表示部６４ａ〜６４ｊが３行４列の配列でマトリクス状に整列配置されている。詳しくは、「エコ炊飯」という第１メニュー表示部６４ａと、「わが家炊き」という第２メニュー表示部６４ｂと、「熟成」という第３メニュー表示部６４ｃと、「しゃっきり」という第４メニュー表示部６４ｄと、「ややしゃっきり」という第５メニュー表示部６４ｅと、「ふつう」という第６メニュー表示部６４ｆと、「ややもちもち」という第７メニュー表示部６４ｇと、「もちもち」という第８メニュー表示部６４ｈと、「急速」という第９メニュー表示部６４ｉと、「おかゆ」という第１０メニュー表示部６４ｊとが設けられている。これらの第１炊飯メニューは、主に炊き上げる米飯の硬さの選択メニューである。また、枠６４の内部には、「こだわりメニュー」の表示状態に移行する状態を示す「こだわりメニューへ」という文字が記載された移行表示部６４ｋが設けられている。
【００４４】
また、メイン液晶パネル６０には、異項目表示領域５３と対応する部分の上部に「保温コース」という文字が記載された分類表示部６５が設けられている。また、メイン液晶パネル６０には、異項目表示領域５３を取り囲むように枠６６が設けられている。枠６６の内部には、保温設定の種類である「極め」という第１保温設定表示部６６ａと、「高め」という第２保温設定表示部６６ｂと、「なし」という第３保温設定表示部６６ｃとが設けられている。なお、「なし」という第３保温設定は、誘導加熱コイル１２及び蓋ヒータ２２への通電を停止し、保温（加熱）しないことを意味する。
【００４５】
また、メイン液晶パネル６０には、共通項目表示領域５４と対応する部分に、時刻及び時間を表示する数値表示部（共通表示部）６７ａが設けられている。この数値表示部６７ａの右側には、ソレノイド２６の駆動により閉塞機構によって内鍋１５内が大気圧より高い圧力に昇圧している状態を示す圧力表示部６７ｂが設けられている。また、圧力表示部６７ｂの下側には、数値表示部６７ａの表示が炊き上げ完了予定時間であることを表す「分後」という炊飯時間表示部６７ｃが設けられている。また、炊飯時間表示部６７ｃの下側には、数値表示部６７ａの表示が保温時間であることを表す「時間」という保温時間表示部６７ｄが設けられている。
【００４６】
（サブ液晶パネルの詳細）
図３及び図５Ｂに示すように、サブ液晶パネル７０には、メニュー表示領域５２と対応する部分の上部に「いつものメニュー」という文字が記載された第１タブ表示部７１ａと、「こだわりメニュー」という文字が記載された第２タブ表示部７１ｂとが設けられている。また、サブ液晶パネル７０には、メニュー表示領域５２を取り囲むように枠７２が設けられている。この枠７２には、第１タブ表示部７１ａとの間に境界枠線が設けられ、第２タブ表示部６３ｂとの間に境界枠線が設けられていない。これにより、こだわりメニュー（第２項目）が表示され、いつものメニュー（第１項目）が表示されていない状態であることを表している。タブ表示部７１ａ，７１ｂは、メイン液晶パネル６０のタブ表示部６３ａ，６３ｂの背面側に重なる位置に設けられ、枠７２は枠６４の背面側に重なる位置に設けられている。
【００４７】
枠７２の内部には、複数種の第２炊飯メニュー表示部７２ａ〜７２ｊが３行４列の配列でマトリクス状に整列配置されている。詳しくは、「特急」という第１メニュー表示部７２ａと、「すしめし」という第２メニュー表示部７２ｂと、「炊きこみ」という第３メニュー表示部７２ｃと、「雑穀米」という第４メニュー表示部７２ｄと、「雑穀米がゆ」という第５メニュー表示部７２ｅと、「金芽米」という第６メニュー表示部７２ｆと、「湯の子」という第７メニュー表示部７２ｇと、「蒸気セーブ」という第８メニュー表示部７２ｈと、「ふつうおこげ」という第９メニュー表示部７２ｉと、「炊きこみおこげ」という第１０メニュー表示部７２ｊとが設けられている。これらの第２炊飯メニューは、主に炊き上げる米飯の硬さを除く特殊な炊飯メニューである。また、枠７２の内部には、「いつものメニュー」の表示状態に移行する状態を示す「いつものメニューへ」という文字が記載された移行表示部７２ｋが設けられている。これら表示部７２ａ〜７２ｋは、メイン液晶パネル６０の表示部６４ａ〜６４ｋの背面側に重なる位置に設けられている。
【００４８】
また、サブ液晶パネル７０には、異項目表示領域５３と対応する部分の上部に「予約設定」という文字が記載された分類表示部７３が設けられている。また、サブ液晶パネル７０には、異項目表示領域５３を取り囲むように枠７４が設けられている。枠７４の内部には、予約設定の種類である「予約１」という第１予約設定表示部７４ａと、「予約２」という第２予約設定表示部７４ｂと、「予約３」という第３予約設定表示部７４ｃとが設けられている。これら表示部７４ａ〜７４ｃは、メイン液晶パネル６０の表示部６６ａ〜６６ｃの背面側に重なる位置に設けられている。
【００４９】
また、サブ液晶パネル７０には、米種類表示領域５１と対応する部分に「わが家炊きの感想を入力」という文字が記載された特殊分類表示部７５が設けられている。そして、共通項目表示領域５４には、特殊分類表示部７５の項目として、「炊きあがりはいかがでしたか？」という質問表示部７６ａと、「かたさ」という第１課題表示部７６ｂと、「やわらかい」という第１回答表示部７６ｃと、「良い」という第２回答表示部７６ｄと、「かたい」という第３回答表示部７６ｅと、「粘り」という第２課題表示部７６ｆと、「弱い」という第１回答表示部７６ｇと、「良い」という第２回答表示部７６ｈと、「強い」という第３回答表示部７６ｉと、「キーで選んでください。」という回答方法表示部７６ｊと、「選択を受け付けました。」という受付表示部７６ｋとが設けられている。
【００５０】
（背面液晶パネルの詳細）
図３及び図５Ｃに示すように、背面液晶パネル８０には、液晶パネル６０，７０のセグメントの色である黒と白を除き、灰色を含む所定の色で塗り潰されたカラーピクトからなる強調表示部８１ａ〜８５ｈが設けられている。第１強調表示部８１ａ〜８１ｄは、米種類表示領域５１に配置した表示部６２ａ〜６２ｆの背面側に重なる位置に設けられている。第２強調表示部８２ａ，８２ｂは、メニュー表示領域５２の上部に配置した第１タブ表示部６３ａ，７１ａと第２タブ表示部６３ｂ，７１ｂの背面側に重なる位置に設けられている。第３強調表示部８３ａ〜８３ｋは、メニュー表示領域５２に配置した表示部６４ａ〜６４ｋ，７１ａ〜７１ｋの背面側に重なる位置に設けられている。第４強調表示部８４ａ〜８４ｃは、異項目表示領域５３に配置した表示部６６ａ〜６６ｃ，７４ａ〜７４ｃの背面側に重なる位置に設けられている。第５強調表示部８５ａ〜８５ｈは、共通項目表示領域５４に配置した表示部７６ｂ〜７６ｉの背面側に重なる位置に設けられている。
【００５１】
（表示装置の画面遷移の一例）
次に、マイコン３８による表示装置５０の表示について説明する。
【００５２】
図６に示すように、予約炊飯の炊飯開始前を含む炊飯処理を実行していない状態、且つ保温処理を実行していない状態である待機モードでは、前回の炊飯設定と、保温設定と、現在時刻が表示されている。この例では、米種類表示領域５１は、分類表示部６１と、枠６２と、第１米種類表示部６２ａとが点灯され、他の表示部が消灯されている。メニュー表示領域５２は、分類表示部６３と、第１タブ表示部６３ａと、第２タブ表示部６３ｂと、枠６４と、第６メニュー表示部６４ｆとが点灯され、他の表示部が消灯されている。異項目表示領域５３は、分類表示部６５と、枠６６と、第１保温設定表示部６６ａとが点灯され、他の表示部が消灯されている。共通項目表示領域５４は、現在時刻と対応するように数値表示部６７ａの所定のセグメントが点灯されている。これにより、使用者は前回「白米」を「ふつう」の炊き上げ硬さで炊飯し、保温温度が低い「極め」で保温したことを視認できる。また、現在時刻が「２０：００」であることを視認できる。
【００５３】
図６に示す待機モードで使用者が左矢印スイッチ４１ｅ又は右矢印スイッチ４１ｆを１回操作すると、マイコン３８は、表示装置５０を炊飯コースの設定画面に遷移させる。図７Ａに示すように、炊飯コース選択モードでは、選択可能な全ての飯米の種類と、選択中の飯米で炊飯可能な全ての炊飯メニューのうちメイン液晶パネル６０の炊飯メニュー又はサブ液晶パネル７０の炊飯メニューとが表示される。また、前回の炊飯したコース（現状の選択状態）が強調表示部８１ａ〜８５ｈの点灯により表される。
【００５４】
図７Ａに示す例では、米種類表示領域５１は、分類表示部６１と、枠６２と、全ての米種類表示部６２ａ〜６２ｄとが点灯され、更に第１強調表示部８１ａが点灯されている。また、メニュー表示領域５２は、分類表示部６３と、第１タブ表示部６３ａと、第２タブ表示部６３ｂと、枠６４と、全てのメニュー表示部６４ａ〜６４ｊと、移行表示部６４ｋとが点灯され、更に第２強調表示部８２ａと第３強調表示部８３ｆとが点灯されている。また、異項目表示領域５３は、全て消灯されている。また、共通項目表示領域５４は、現在時刻と対応するように数値表示部６７ａの所定のセグメントが点灯される。これにより、使用者は、「白米」を「ふつう」の炊き上げ硬さで炊飯するように選択されていることを視認できる。また、現在時刻が「２０：００」であることを視認できる。
【００５５】
この炊飯コース選択モードでは、使用者が左矢印スイッチ４１ｅ又は右矢印スイッチ４１ｆを操作することで炊飯メニューを変更できる。また、使用者がお米選択スイッチ４１ｄを操作することで飯米の種類を変更できる。そして、これらの設定変更は、第３強調表示部８３ａ〜８３ｋ及び第１強調表示部８１ａ〜８１ｄの点灯位置が変更されることで、視認できる。
【００５６】
例えば、図７Ａに示す状態でお米選択スイッチ４１ｄを操作すると、図７Ｂに示すように、第１強調表示部８１ａが消灯されるとともに、第１強調表示部８１ｂが点灯される。これにより使用者は、「無洗米」が選択されたことを視認できる。お米選択スイッチ４１ｄの操作の度に、第１米種類表示部６２ａから第４米種類表示部６２ｄまで順番に選択状態が変更される。そして、第４米種類表示部６２ｄの選択状態でお米選択スイッチ４１ｄが操作されると、第１米種類表示部６２ａが選択された状態になる。
【００５７】
図７Ｃを併せて参照すると、飯米の選択変更により、メニュー表示領域５２の表示が変更される。図７Ｃの例では、メイン液晶パネル６０のメニュー表示部６４ｃ，６４ｆ，６４ｊだけが点灯され、他のメニュー表示部が消灯されている。そのため、使用者は、飯米として選択した「玄米」は、「熟成」と「ふつう」と「おかゆ」が炊飯可能なメニューであると視認できる。
【００５８】
図７Ａに示す状態で右矢印スイッチ４１ｆが操作されると、第３強調表示部８３ａ〜８３ｋの点灯箇所が右向きに移動し、炊飯メニューの選択状態が変更される。最も右側の炊飯メニュー（６４ｃ，６４ｆ，６４ｉ）が選択されている場合、１行下の最も左側の炊飯メニュー（６４ｄ，６４ｇ，６４ｊ）が選択された状態になる。即ち、炊飯メニューは、第１メニュー表示部６４ａ（エコ炊飯）から第１０メニュー表示部６４ｊ（おかゆ）まで順番に選択状態が変更される。また、第１０メニュー表示部６４ｊの選択状態で右矢印スイッチ４１ｆが操作されると、移行表示部６４ｋが点灯される。この移行表示部６４ｋの選択状態で右矢印スイッチ４１ｆが操作されると、サブ液晶パネル７０の炊飯メニューが表示される。
【００５９】
図７Ｂに示すように、サブ液晶パネル７０の炊飯メニューの表示状態は、メイン液晶パネル６０の炊飯メニューの表示状態と同様に、選択された飯米に応じて炊飯可能な全ての炊飯メニューが表示される。この例では、「無洗米」が選択されているため、全ての炊飯メニューが表示されている。詳しくは、メニュー表示領域５２は、分類表示部６３と、第１タブ表示部７１ａと、第２タブ表示部７１ｂと、枠７２と、全てのメニュー表示部７２ａ〜７２ｊと、移行表示部７２ｋとが点灯され、更に第２強調表示部８２ｂと第３強調表示部８３ｄとが点灯されている。また、第１０メニュー表示部７２ｊの選択状態で右矢印スイッチ４１ｆが操作されると、移行表示部７２ｋが点灯される。この移行表示部７２ｋの選択状態で右矢印スイッチ４１ｆが操作されると、メイン液晶パネル６０の炊飯メニューが表示される。なお、左矢印スイッチ４１ｅが操作されると、炊飯メニューの選択状態が逆向きに変更される。
【００６０】
図６に示す待機モードで予約スイッチ４１ｃが操作されると、マイコン３８は、表示装置５０を予約炊飯の設定画面に遷移させる。図８に示すように、予約炊飯選択モードでは、選択可能な全ての飯米の種類と、選択中の飯米で炊飯可能な全ての炊飯メニューのうちメイン液晶パネル６０の炊飯メニュー及びサブ液晶パネル７０の炊飯メニューの一方と、予約設定とが表示される。また、予約設定と、予約時刻とが表示される。
【００６１】
図８に示す例では、図７Ｃに示す通常の炊飯コース選択モードの表示に加え、異項目表示領域５３に分類表示部７３と、予約設定表示部７４ａ〜７４ｃが点灯され、更に第４強調表示部８４ａが点灯される。また、共通項目表示領域５４は、選択中の予約設定で記憶されている予約時刻と対応するように数値表示部６７ａの所定のセグメントが点灯される。これにより、使用者は、前回の「予約設定１」で「玄米」を「ふつう」の炊き上げ硬さで炊飯し、予約炊飯時刻を「６：００」としたことを視認できる。なお、この状態で左矢印スイッチ４１ｅ又は右矢印スイッチ４１ｆを長押しすることで、予約時刻を変更することができる。
【００６２】
図７Ａに示す炊飯コース選択モードで使用者が炊飯スイッチ４１ａを操作すると、マイコン３８は炊飯処理を開始する。図９に示すように、炊飯状態では、炊飯中のメニューと、米飯が炊き上がる残時間と、内鍋１５内の圧力状態とが表示される。図９に示す例では、米種類表示領域５１は、分類表示部６１と、枠６２と、第１米種類表示部６２ａとが点灯されている。また、メニュー表示領域５２は、分類表示部６３と、第１タブ表示部６３ａと、第２タブ表示部６３ｂと、枠６４と、第６メニュー表示部６４ｆとが点灯されている。また、異項目表示領域５３は、全て消灯されている。また、共通項目表示領域５４は、炊飯が完了する残時間に対応するように数値表示部６７ａの所定のセグメントが点灯され、更に圧力表示部６７ｂと炊飯時間表示部６７ｃとが点灯される。また、全ての強調表示部８１ａ〜８５ｈは消灯されている。これにより、使用者は、「白米」、「ふつう」で炊飯処理を実行中で、「４５」分後に米飯が炊き上がることを視認できる。
【００６３】
炊飯処理が終了すると、マイコン３８は保温処理を開始する。図１０Ａに示すように、保温状態では、前回の炊飯メニューと、保温設定と、保温時間とが表示される。図１０Ａに示す例では、米種類表示領域５１は、分類表示部６１と、枠６２と、第１米種類表示部６２ａとが点灯されている。また、メニュー表示領域５２は、分類表示部６３と、第１タブ表示部６３ａと、第２タブ表示部６３ｂと、枠６４と、第６メニュー表示部６４ｆとが点灯されている。また、異項目表示領域５３は、分類表示部６５と、枠６６と、第１保温設定表示部６６ａとが点灯されている。また、共通項目表示領域５４は、保温時間に対応するように数値表示部６７ａの所定のセグメントが点灯され、更に保温時間表示部６７ｄが点灯されている。また、全ての強調表示部８１ａ〜８５ｈは消灯されている。これにより、使用者は、「白米」、「ふつう」で炊飯処理を実行した後、「極め」の保温コースで「２０」時間米飯を保温していることを視認できる。
【００６４】
保温処理の実行中に保温スイッチ４１ｂが操作されると、保温設定（保温コース選択モード）を変更することができる。詳しくは、図１０Ａに示す状態で保温スイッチ４１ｂが操作されると、図１０Ｂに示すように、全ての保温設定表示部６６ａ〜６６ｃが点灯されるとともに、第４強調表示部８４ａが点灯される。これにより使用者は、「極め」が選択されていることを視認できる。保温スイッチ４１ｂの操作の度に、第１保温設定表示部６６ａから第３保温設定表示部６６ｃまで順番に選択状態が変更される。そして、第３保温設定表示部６６ｃの選択状態で保温スイッチ４１ｂが操作されると、第１保温設定表示部６６ａが選択された状態になる。なお、保温スイッチ４１ｂの操作後に設定時間（例えば３秒）が経過すると、選択が確定され、第４強調表示部８４ａ〜８４ｃは消灯されるとともに、選択状態の保温設定の表示部６６ａ〜６６ｃを除く表示部が消灯される。
【００６５】
待機モード又は保温コース選択モードでわが家炊き選択スイッチ４１ｇが操作されると、炊飯メニューの１つである「わが家炊き」の感想の入力モードに移行する。この状態で、左矢印スイッチ４１ｅと右矢印スイッチ４１ｆを操作することで、回答を選択し、炊飯スイッチ４１ａを操作することで回答を確定できる。図１１Ａに示す例では、特殊分類表示部７５と、質問表示部７６ａと、第１課題表示部７６ｂ及び回答表示部７６ｃ〜７６ｅと、第２課題表示部７６ｆ及び回答表示部７６ｇ〜７６ｉと、回答方法表示部７６ｊとが点灯されている。また、第５強調表示部８５ａ，８５ｄが点灯されている。これにより、使用者は、第１の課題である「かたさ」について「かたい」という回答を選択していることを視認できる。
【００６６】
また、感想入力モードで２つの課題の回答を終えると、図１１Ｂに示す選択受付状態に遷移する。図１１Ｂに示す例では、特殊分類表示部７５と、質問表示部７６ａと、第１課題表示部７６ｂ及び回答表示部７６ｃ〜７６ｅと、第２課題表示部７６ｆ及び回答表示部７６ｇ〜７６ｉと、受付表示部７６ｋとが点灯されている。また、第５強調表示部８５ｄ，８５ｈが点灯されている。これにより、使用者は、第１の課題である「かたさ」について「かたい」と回答し、第２の課題である「粘り」について「良い」と回答したことを視認できる。なお、この感想入力モードは、選択の受け付け後に設定時間（例えば３秒）が経過すると、感想入力前の待機モード又は保温コース選択モードに移行する。
【００６７】
このように、表示装置５０は、メイン液晶パネル６０とサブ液晶パネル７０を備えるため、表示が必要な項目を分けて配置することができる。そして、複数の表示が必要な炊飯器１０に適用することで、限られた表示スペース（基板配置部２８）であっても各項目の表示面積を大きくして配置することができる。よって、表示装置５０は、使用者が認識し易いレイアウトを実現できる。そのため、炊飯器１０の使用性を向上させることができる。また、メイン液晶パネル６０の表示とサブ液晶パネル７０の表示は、機能（項目）の使用頻度の高低によって分類されている。そのため、表示装置５０には、頻繁に使用する項目だけを常に表示させることができる。よって、使用者による炊飯器１０の使用性を確実に向上できる。
【００６８】
また、同時に表示することがない保温機能の表示部６６ａ〜６６ｃと予約機能の表示部７４ａ〜７４ｃを同一の領域５３に配置し、両機能に必要な数値表示部６７ａを隣り合う領域５４に配置しているため、使用性が良好で認識し易いレイアウトを実現できる。しかも、選択中の表示部６２ａ〜６７ｄ，７１ａ〜７６ｋは、点滅による特定ではなく、第３液晶パネル９０の強調表示部８１ａ〜８５ｈによる異なる色の点灯により特定できるようにしている。そのため、使用者は、選択中の場所は勿論、選択中の表示内容を瞬時に把握できる。よって、使用者の使用性を更に向上できる。また、第１液晶パネル６０のメニュー表示部６４ａ〜６４ｊの表示状態か、第２液晶パネル７０の炊飯メニュー表示部７２ａ〜７２ｊの表示状態かを表すタブ表示部６３ａ，６３ｂ，７１ａ，７１ｂを備えているため、使用者の視認性及び使用性を更に向上できる。
【００６９】
なお、本発明の調理器の表示装置は、前記実施形態の構成に限定されず、種々の変更が可能である。
【００７０】
例えば、第１液晶パネル６０の表示部６２ａ〜６７ｄと第２液晶パネル７０の７１ａ〜７６ｋは、使用頻度の高低に限らず、希望に応じて変更が可能である。また、表示装置５０の各表示部６２ａ〜６７ｄ，７１ａ〜７６ｋの配置も希望に応じて変更が可能である。また、タブ表示部６３ａ，６３ｂ，７１ａ，７１ｂを設けない構成としてもよい。
【００７１】
また、表示部５０は、第１液晶パネル６０の正面側に第２液晶パネル７０を重ねて配置してもよい。また、表示装置５０は、３枚の液晶パネル６０，７０，８０を用いたが、４以上の液晶パネルで構成してもよい。また、背面液晶パネル８０を除く２枚の液晶パネル６０，７０で構成しても良い。また、背面液晶パネル８０は、表示部の強調することで選択状態を表示する点で特徴を有する。そのため、表示部を設けた１枚の液晶パネル６０又は７０と背面液晶パネル８０との２枚で構成してもよい。
【００７２】
そして、前記実施形態では、内鍋１５の内部を大気圧より高い圧力に昇圧可能な炊飯器１０を例に挙げて本発明を説明したが、内鍋１５の内部を大気圧より高い圧力に昇圧不可能な炊飯器に本発明の表示装置５０を用いてもよい。また、炊飯器に限らず、内鍋１５の内部に調理物を収容して調理を行う調理器であれば適用可能であり、同様の作用及び効果を得ることができる。
【符号の説明】
【００７３】
１０…炊飯器（調理器）
１１…炊飯器本体
１２…誘導加熱コイル
１５…内鍋
２０…蓋体
２１…放熱板
２２…蓋ヒータ
２３…内蓋
２４…蒸気口セット
２５…排出口
２６…ソレノイド
２７…蓋本体
２８…基板配置部
３０…カバー部材
３１…操作パネル部
３２ａ〜３２ｈ…操作部
３３…窓部
３５…鍋温度センサ
３６…蓋温度センサ
３８…マイコン（制御手段）
４０…操作基板
４１ａ〜４１ｈ…スイッチ
４２…枠部材
５０…表示装置
５１…米種類表示領域（第３領域）
５２…メニュー表示領域（第４領域）
５３…異項目表示領域（第１領域）
５４…共通項目表示領域（第２領域）
６０…メイン液晶パネル（第１液晶パネル）
６１…分類表示部
６２…枠
６２ａ〜６２ｄ…米種類表示部
６３…分類表示部
６３ａ，６３ｂ…タブ表示部
６４…枠
６４ａ〜６４ｈ…硬さが異なる第１炊飯メニュー表示部
６４ｉ，６４ｊ…硬さ以外の第１炊飯メニュー表示部
６４ｋ…移行表示部
６５…分類表示部
６６…枠
６６ａ〜６６ｃ…保温設定表示部（特定の第１表示部）
６７ａ…数値表示部（共通表示部）
６７ｂ…圧力表示部
６７ｃ…炊飯時間表示部
６７ｄ…保温時間表示部
７０…サブ液晶パネル（第２液晶パネル）
７１ａ，７１ｂ…タブ表示部
７２…枠
７２ａ〜７２ｊ…第２炊飯メニュー表示部
７２ｋ…移行表示部
７３…分類表示部
７４…枠
７４ａ〜７４ｃ…予約設定表示部（特定の第２表示部）
７５…特殊分類表示部
７６ａ…質問表示部
７６ｂ〜７６ｅ…回答表示部
７６ｆ…第２課題表示部
７６ｇ〜７６ｉ…回答表示部
７６ｊ…回答方法表示部
７６ｋ…受付表示部
８０…背面液晶パネル
８１ａ〜８１ｄ…第１強調表示部
８２ａ，８２ｂ…第２強調表示部
８３ａ〜８３ｋ…第３強調表示部
８４ａ〜８４ｃ…第４強調表示部
８５ａ〜８５ｈ…第５強調表示部
【図１】
0006466267.tif 000002
【図２】
0006466267.tif 000003
【図３】
0006466267.tif 000004
【図４】
0006466267.tif 000005
【図５Ａ】
0006466267.tif 000006
【図５Ｂ】
0006466267.tif 000007
【図５Ｃ】
0006466267.tif 000008
【図６】
0006466267.tif 000009
【図７Ａ】
0006466267.tif 000010
【図７Ｂ】
0006466267.tif 000011
【図７Ｃ】
0006466267.tif 000012
【図８】
0006466267.tif 000013
【図９】
0006466267.tif 000014
【図１０Ａ】
0006466267.tif 000015
【図１０Ｂ】
0006466267.tif 000016
【図１１Ａ】
0006466267.tif 000017
【図１１Ｂ】
0006466267.tif 000018